(57)【要約】      （修正有）【課題】小さなエアシリンダ（バレル）を持つエアソフトガンに適用可能であるとともに、銃射撃時の擬似的なリコイル排莢アクションを発生させることで、玩具銃の娯楽性を高める玩具銃の疑似的な排莢アクション機構を提供する。【解決手段】玩具銃の疑似的な排莢アクション機構は、インナケース１の外側面には外部フック部１１２，１２２が設けられ、この側面には側部ガイド溝１１３，１２３が設けられ、側部ガイド溝の頭頂部には上部ガイド溝が設けられる。可動コマ２が上部ガイド溝内に挿入され、可動コマの側面にはフック部２２，２２１が設けられ、フック部とインナケースの外部フック部との間にはイジェクションスプリング２５，２５１が設けられる。発射ユニット３には開口を有するバレル３１と、ピストン３２とが設けられ、ピストン外側には可動コマに当接可能なストッパ凸部３２１が設けられる。可動コマをピストンの往復に合わせて運動させ、排莢部化粧板４が可動コマに結合されて往復運動する。【選択図】図１
0003191683.tif 000002
【実用新案登録請求の範囲】
【請求項１】
中段の少なくとも一つの側面には外部フック部が設けられており、前記外部フック部の側面には側部ガイド溝が設けられており、前記側部ガイド溝近傍の頭頂部には上部ガイド溝が設けられており、前記側部ガイド溝から離れた一端側に貫通穴が設けられたインナケースと、
前記インナケースの上部ガイド溝内でスライド結合可能であり、側面には前記側部ガイド溝を通過して外側に突出するフック部が設けられるとともに、前記フック部と前記インナケースの外部フック部との間にはイジェクションスプリングが設けられている可動コマと、
前記インナケースにおける前記貫通穴に近接する一端側に設けられているバレルを有しており、前記バレルは前記貫通穴を貫通して外側に突出したエアノズルを有しており、しかも前記バレルは前記エアノズルから離れた一端に開口が設けられており、当該開口はピストンを挿入させるものであり、前記ピストンは外力により駆動されて前記バレル内を往復スライド動作するとともに、前記ピストンの外側には前記可動コマに当接するストッパ凸部が設けられることで、前記可動コマを前記ピストンの往復に合わせて運動させて、前記イジェクションスプリングの伸縮に合わせて対応する往復運動を発生可能な発射ユニットと、
一端部が前記可動コマに結合されることで、前記可動コマと同期して往復運動するとともに、他端がインナケースの貫通穴に向けて延出しており、往復運動により擬似的な排莢アクションを発生させる効果をもたらす少なくとも一枚の排莢部化粧板と、を少なくとも備えた、ことを特徴とする玩具銃の疑似的な排莢アクション機構。
【請求項２】
前記インナケースは中段二つの側面に前記外部フック部がそれぞれ設けられており、前記各々の外部フック部の側面には前記側部ガイド溝がそれぞれ設けられており、かつ前記上部ガイド溝が前記二つの側部ガイド溝の間の頭頂側に設けられており、前記可動コマの二つの側面には前記側部ガイド溝を通過して外側に突出する前記フック部がそれぞれ設けられており、かつ前記各々のフック部と前記インナケースの外部フック部との間には前記イジェクションスプリングがそれぞれ設けられている、ことを特徴とする請求項１に記載の玩具銃の疑似的な排莢アクション機構。
【請求項３】
前記可動コマ上には固定用スリットが設けられており、そして前記排莢部化粧板には前記固定用スリット内に挿入されるとともに位置決めすることが可能な固定部が対向して設けられている、ことを特徴とする請求項１に記載の玩具銃の疑似的な排莢アクション機構。
【請求項４】
前記可動コマの表面には前記固定用スリットを通過する少なくとも一つの固定孔が設けられており、前記排莢部化粧板の固定部上には固定貫通孔が対向して設けられており、少なくとも一つの固定素子を前記固定孔に挿入するとともに前記固定貫通孔を貫通することで、前記排莢部化粧板と前記可動コマとを結合して位置決め可能である、ことを特徴とする請求項３に記載の玩具銃の疑似的な排莢アクション機構。
【請求項５】
前記固定孔がねじ穴であり、前記固定素子がビスである、ことを特徴とする請求項４に記載の玩具銃の疑似的な排莢アクション機構。
【請求項６】
前記インナケースが二つのケース半体を対向結合してなる、ことを特徴とする請求項１に記載の玩具銃の疑似的な排莢アクション機構。
【請求項７】
前記インナケース内部には前記エアノズル方向に延出したインナプランジャが設けられており、前記ピストンは前記インナプランジャの延出方向でスライド可能である、ことを特徴とする請求項１に記載の玩具銃の疑似的な排莢アクション機構。
【請求項８】
前記インナケース内部にはモータと、前記モータにより駆動される伝動ギヤ組が設けられており、かつ前記伝動ギヤ組は前記ピストンを連動可能である、ことを特徴とする請求項１に記載の玩具銃の疑似的な排莢アクション機構。
【考案の詳細な説明】
【技術分野】
【０００１】
本考案は玩具銃の疑似的な排莢アクション機構に関し、特に小型の玩具銃に適用され且つ擬似的なリコイル排莢アクションを発生可能な機構に関する。
【背景技術】
【０００２】
各種玩具銃がますます緻密化しているに伴い、様々な射撃時における銃の反応及びアクションについても要求が厳しくなってきている。例えば、実物の銃での射撃時におけるリコイル排莢アクションは、射撃中における重要な動作であるが、従来の玩具銃構造においては、実物の弾丸での火薬爆発時に燃焼で発生する膨張ガスを利用できるというものが欠けていることから、銃射撃時のリコイル排莢を模したアクション及び効果を得ることは容易ではない。
【０００３】
エアソフトガンの構造において、大型のエアソフトガンの一部では多くの空気を収容可能なエアシリンダ（バレル）を備えておりことから、疑似排莢に関する装置を駆動するためにエアシリンダ（バレル）から一部空気を導出するようにして、各種銃射撃時の擬似的なリコイル排莢アクションに必要な構造的設計を行っている。
【考案の概要】
【考案が解決しようとする課題】
【０００４】
しかしながら、小型のエアソフトガンでは、内部空間が限られているため、大きなエアシリンダ（バレル）を備えることができず、もし疑似排莢に関する装置を駆動するためにエアシリンダ（バレル）内の空気を更に導出するとなると、空気貯留量（気圧）が不足してしまい、ひいては正常な射撃動作の実行に影響を及ぼす。このことから、小型のエアソフトガンの小さなエアシリンダ（バレル）構造に適用されつつ、銃射撃時の擬似的なリコイル排莢アクションを発生可能な機構を如何に設計するかということは、関連業者にとって努力が待たれる課題であった。
【０００５】
通常のエアソフトガンでの疑似的なリコイル排莢アクションの構造には応用設計にて上記の欠点があったことに鑑み、考案者はこれら欠点についての研究・改善において、ついに本考案を考案した。
【課題を解決するための手段】
【０００６】
本考案の主な目的は、小さなエアシリンダ（バレル）を持つエアソフトガンに適用可能であるとともに、銃射撃時の擬似的なリコイル排莢アクションを発生させることで、玩具銃の娯楽性を高める玩具銃の疑似的な排莢アクション機構を提供するところにある。
【０００７】
本考案の他の目的は、その全体的な構造が極めて簡素で、コストを大幅に増加させることなく、玩具銃の製品上での付加価値及び競争力を向上させる玩具銃の疑似的な排莢アクション機構を提供するところにある。
【０００８】
本考案が上記目的及び効果を達成するために採用する技術的手法は以下の通りである。中段の少なくとも一つの側面には外部フック部が設けられており、この外部フック部の側面には側部ガイド溝が設けられており、前記側部ガイド溝近傍の頭頂部には上部ガイド溝が設けられており、前記側部ガイド溝から離れた一端側に貫通穴が設けられたインナケースと；前記インナケースの上部ガイド溝内でスライド結合可能であり、側面には側部ガイド溝を通過して外側に突出するフック部が設けられるとともに、フック部とインナケースの外部フック部との間にはイジェクションスプリングが設けられている可動コマと；インナケースにおける貫通穴に近接する一端側に設けられているバレルを有しており、このバレルは貫通穴を貫通して外側に突出したエアノズルを有しており、しかもバレルにてエアノズルから離れた一端に開口が設けられており、当該開口はピストンを挿入させるものであり、前記ピストンは外力により駆動されてバレル内を往復スライド動作するとともに、前記ピストンの外側には可動コマに当接するストッパ凸部が設けられることで、前記可動コマをピストンの往復に合わせて運動させて、イジェクションスプリングの伸縮に合わせて対応する往復運動を発生可能な発射ユニットと：一端部が前記可動コマに結合されることで、可動コマと同期して往復運動するとともに、他端がインナケースの貫通穴に向けて延出しており、往復運動により擬似的な排莢アクションを発生させる効果をもたらす少なくとも一枚の排莢部化粧板と、を備えている。
【０００９】
上記構造によれば、前記インナケースは中段二つの側面に外部フック部がそれぞれ設けられており、各々の外部フック部の側面には側部ガイド溝がそれぞれ設けられており、かつこの上部ガイド溝が二つの側部ガイド溝の間の頭頂側に設けられており、前記可動コマの二つの側面には側部ガイド溝を通過して外側に突出するフック部がそれぞれ設けられており、かつ各々のフック部とインナケースの外部フック部との間にはイジェクションスプリングがそれぞれ設けられている。
【００１０】
上記構造によれば、前記可動コマ上には固定用スリットが設けられており、そして前記排莢部化粧板には当該固定用スリット内に挿入されるとともに位置決めすることが可能な固定部が対向して設けられている。
【００１１】
上記構造によれば、前記可動コマの表面には固定用スリットを通過する少なくとも一つの固定孔が設けられており、前記排莢部化粧板の固定部上には固定貫通孔が対向して設けられており、少なくとも一つの固定素子を固定孔に挿入するとともに固定貫通孔を貫通することで、前記排莢部化粧板と可動コマとを結合して位置決め可能である。
【００１２】
上記構造によれば、前記固定孔がねじ穴であり、かつ固定素子がビスである。
【００１３】
上記構造によれば、前記インナケースが二つのケース半体を対向結合してなる。
【００１４】
上記構造によれば、前記インナケース内部にはエアノズル方向に延出したインナプランジャが設けられており、前記ピストンはインナプランジャの延出方向でスライド可能である。
【００１５】
上記構造によれば、前記インナケース内部にはモータと、モータにより駆動される伝動ギヤ組が設けられており、かつ当該伝動ギヤ組は前記ピストンを連動可能である。
【００１６】
本考案の詳細な構造、応用原理、作用及び効果は、下記する図面についての説明を参照することで完全に明確になる。
【図面の簡単な説明】
【００１７】
【図１】本考案の構造分解図である。
【図２】本考案の全体組付け外観図である。
【図３】本考案の組付け断面図である。
【図４】本考案の弾丸発射時にてピストンがピストンスプリングを圧縮する動作の図である。
【図５】本考案の弾丸発射時におけるバレル動作の概略図である。
【図６】図５の局部断面図である。
【図７】本考案の弾丸発射時にてピストンスプリングがピストンを駆動する動作の図である。
【考案を実施するための形態】
【００１８】
図１ないし図３を参照されたい。本考案の構造は主に以下の通りであることが分かる。インナケース１と、可動コマ２と、発射ユニット３と、排莢部化粧板４などの部分を備えている。このうち、前記インナケース１は二つのケース半体１１、１２が対向して結合することで構成されており、前記ケース半体１１、１２中段の外側面には外部フック部１１２、１２２がそれぞれ対向して設けられており、前記二つの外部フック部１１２、１２２と同じ側の側面には側部ガイド溝１１３、１２３がそれぞれ設けられており、前記二つの側部ガイド溝１１３、１２３近傍の頭頂部には上部開口１１４、１２４がそれぞれ設けられており、前記二つのケース半体１１、１２が前記インナケース１を構成したとき、前記二つの上部開口１１４、１２４はちょうど上部ガイド溝１４として対向結合するとともに、前記インナケース１にて前記側部ガイド溝１１３、１２３から離れた一端側に貫通穴１３が設けられている。
【００１９】
前記可動コマ２は底部が前記インナケース１の上部ガイド溝１４内に挿入可能であって、各端側面上方には側部凸部２１が各々設けられており、前記複数の側部凸部２１は前記上部ガイド溝１４の二つの側面を当て止めして、前記可動コマ２を前記上部ガイド溝１４に沿ってスライドするような結合状態とすることが可能であって、前記可動コマ２の二つの側面には前記側部ガイド溝１１３、１２３を通過して外側に突出する前記フック部２２、２２１が設けられるとともに、前記二つのフック部２２、２２１と前記二つの外部フック部１１２、１２２との間にはイジェクションスプリング２５、２５１が設けられており、また前記可動コマ２中段横には固定用スリット２３が設けられるとともに、この可動コマ２の表面には前記固定用スリット２３を貫通する複数の固定孔２４（ねじ穴でもよい）が設けられている。
【００２０】
前記発射ユニット３は主にバレル３１およびピストン３２からなり、前記バレル３１は前記インナケース１における前記貫通穴１３に近接する一端側に設けられており、前記バレル３１は前記貫通穴１３を貫通して外側に突出したエアノズル３１１と、前記エアノズル３１１から離れた一端の開口とを備えており、しかも前記バレル３１と前記インナケース１との間にはリセットスプリング３１２が設けられており、前記ピストン３２の一端は前記開口から前記バレル３１内に挿入されるとともに、前記ピストン３２における前記バレル３１から離れた一端外周側には前記可動コマ２に当接可能なストッパ凸部３２１が設けられている。一つの可能な実施例において、前記インナケース１内部にはインナプランジャ３３が設けられており、前記インナプランジャ３３の一端は前記フランジ３３１で前記インナケース１内に嵌入されて位置決めされており、しかも前記インナプランジャ３３の他端は前記貫通穴１３（即ち前記エアノズル３１１）の方向に延出しており、前記ピストン３２は前記インナプランジャ３３の一端部を覆合しており、前記ピストン３２と前記フランジ３３１との間には前記ピストンスプリング３４が設けられている。また前記インナケース１の内部には駆動ユニット５が設けられており、前記駆動ユニット５はモータ５１と、前記モータ５１により駆動される伝動ギヤ組５２とを備えることが可能であって、前記モータ５１は前記インナケース１の外側に枢設されている引き金１５により制御されるものであり、前記伝動ギヤ組５２は前記ピストン３２上にて対応して設置されているラック（図示せず）に噛合する以外に、前記バレル３１を駆動して往復運動を発生させることができる。ところで考案者が出願した中国実用新案第２００５２０１３６４８５．３号「ツイン動力式玩具銃の制御構造」に開示されている本願に類似した前記モータ５１、前記伝動ギヤ組５２が駆動する関連する前記ピストン３２、前記バレル３１なども実施可能である。
【００２１】
前記排莢部化粧板４は一端部の横方向に、前記固定用スリット２３内に挿入可能な固定部４１が屈曲して設けられており、前記固定部４１上には前記固定孔２４に対応する固定貫通孔４２が設けられており、複数の固定素子２４１（ビスとしてもよい）が前記固定孔２４に螺入されるとともに前記固定貫通孔４２を貫通して、前記排莢部化粧板４を前記可動コマ２に結合して位置決めすることができる。
【００２２】
図４ないし図７を参照されたい。操作時に、使用者が前記引き金１５を引くと、前記モータ５１が起動するとともに前記伝動ギヤ組５２を介してまず前記ピストン３２が前記ピストンスプリング３４を圧縮するように駆動し（図４に示す）、その後前記伝動ギヤ組５２が更に前記バレル３１を前記フランジ３３１に向けてスライドするように駆動して（同時に前記リセットスプリング３１２を引張する）、前記エアノズル３１１を前記貫通穴１３内に収縮し（図５に示す）、合成樹脂製弾丸を前記エアノズル３１１又は前記貫通穴１３の前方に装填しやすくする（図示していないが、関連する合成樹脂製弾丸の装填方式も前記した中国実用新案第２００５２０１３６４８５．３号実用新案に明記してある）。このとき、前記可動コマ２は前記ピストン３２（前記ストッパ凸部３２１）により当接されて前記イジェクションスプリング２５、２５１を引張する（図６に示す）。最後に、前記伝動ギヤ組５２は前記バレル３１、前記ピストン３２の順で離れて、まず前記バレル３１が前記リセットスプリング３１２の回復弾発力作用を受けて、前記エアノズル３１１を前記貫通穴１３の外に突出した定位置に戻し、更に前記ピストン３２が前記ピストンスプリング３４の回復弾発力作用により前記バレル３１内の空気を圧縮して、その空気は急速に前記エアノズル３１１を通過して前記合成樹脂製弾丸に衝突して外方に弾丸を噴出させて、ひいては弾丸を発射する効果をもたらす。そして前記ピストン３２が前記バレル３１内に戻った後、前記ストッパ凸部３２１も前記可動コマ２から離れて、前記可動コマ２が前記二つのイジェクションスプリング２５、２５１の回復弾発力作用により前記排莢部化粧板４を前記ピストン３２の可動方向にスライドさせるように連動して（図７に示す）、銃射撃時の擬似的なリコイル排莢アクションを発生させるものである。
【００２３】
実施可能な実施例において、前記インナケース１の外表面には、実物の銃の外観を有するハウジング（図面には別途示さない）を別途設けるとともに、このハウジングは前記排莢部化粧板４の対応するスライド経路上に排莢口が設けられており、前記排莢部化粧板４が前記ピストン３２の動作に伴って往復スライドすることを利用して、排莢口に開閉状態の変化を持たすことで、リコイル薬莢排出を模した効果を達成することができる。
【産業上の利用可能性】
【００２４】
上記から分かるように、本考案の玩具銃の疑似的な排莢アクション機構は構造が簡素で且つ擬似的なリコイル排莢アクションを発生する効果をもたらし、産業上の利用可能性、新規性及び進歩性を備えている。
【符号の説明】
【００２５】
１              インナケース
１１、１２      ケース半体
１１２、１２２  外部フック部
１１３、１２３  側部ガイド溝
１１４、１２４  上部開口
１３            貫通穴
１４            上部ガイド溝
１５            引き金
２              可動コマ 
２１            側部凸部
２２、２２１    フック部
２３            固定用スリット
２４            固定孔
２４１          固定素子
２５、２５１    イジェクションスプリング
３              発射ユニット
３１            バレル
３１１          エアノズル
３１２          リセットスプリング
３２            ピストン
３２１          ストッパ凸部
３３            インナプランジャ
３３１          フランジ 
３４            ピストンスプリング
４              排莢部化粧板
４１            固定部
４２            固定貫通孔
５              駆動ユニット
５１            モータ
５２            伝動ギヤ組
【図１】
0003191683.tif 000003
【図２】
0003191683.tif 000004
【図３】
0003191683.tif 000005
【図４】
0003191683.tif 000006
【図５】
0003191683.tif 000007
【図６】
0003191683.tif 000008
【図７】
0003191683.tif 000009